(57)【要約】【課題】冷房時の電力消費量を節減することが可能な吸入空気冷却装置、及び、これを用いたエアコン室外機を提供する。【解決手段】吸入空気冷却装置２を構成する貯水槽３は排水孔３６を有し、排水孔３６は底部３３に開口し、貯水空間３００に通じている。冷却部４を構成する保水部４２は、多孔質材料でなり、基体部４１に取り付けられ、通気孔４３を有している。透水シート５は、多孔質材料でなり、一端側が排水孔３６と向かい合う関係で底部３３の外面に配置され、他端側が保水部４２と接触する。本発明に係る吸入空気冷却装置２は、室外機本体１と組み合わされてエアコン室外機を構成する。室外機本体１のハウジング１０は、収納空間１００と、収納空間１００に通じる吸気口１２とを有している。熱交換器１１は、収納空間１００において、吸気口１２と向かい合う位置に収納されている。【選択図】図２
2013057458.tif 000002
【特許請求の範囲】
【請求項１】
貯水槽と、冷却部と、透水シートとを含むエアコン室外機用吸入空気冷却装置であって、
前記貯水槽は、貯水空間と、排水孔とを有しており、
前記排水孔は、前記貯水槽の底部に開口し、前記貯水空間に通じており、
前記冷却部は、基体部と、保水部とを有しており、
前記保水部は、多孔質材料でなり、前記基体部に取り付けられ、通気孔を有しており、
前記透水シートは、多孔質材料でなり、一端側が前記排水孔と向かい合う関係で前記貯水槽の底部外面に配置され、他端側が前記保水部と接触する、
吸入空気冷却装置。
【請求項２】
請求項１に記載された前記吸入空気冷却装置であって、
前記冷却部の前記基体部は、格子状体、又は、面内に複数の貫通孔を有する板状体である、
吸入空気冷却装置。
【請求項３】
室外機本体と、吸入空気冷却装置とを含むエアコン室外機であって、
前記室外機本体は、ハウジングと、熱交換器とを有しており、
前記ハウジングは、収納空間と、前記収納空間に通じる吸気口とを有しており、
前記熱交換器は、前記収納空間において、前記吸気口と向かい合う位置に収納されており、
前記吸入空気冷却装置は、請求項１又は２に記載されたものでなり、
前記透水シートは、前記ハウジングの外面に取り付けられており、
前記貯水槽は、前記透水シートを挟んで前記ハウジングの外面に載置されており、
前記冷却部は、前記ハウジングの外面に取り付けられ、取り付けられた状態で前記吸気口を覆っている、
エアコン室外機。
【請求項４】
支持台と、透水シートと、貯水槽と、冷却部とを含むエアコン室外機用吸入空気冷却装置であって、
前記支持台は、一方向に沿って高さが低くなる傾斜面を有しており、
前記貯水槽は、貯水空間と、排水孔とを有し、前記傾斜面上に配置され、
前記排水孔は、前記貯水槽の底部に開口し、前記貯水空間に通じており、
前記冷却部は、基体部と、保水部とを有しており、
前記保水部は、多孔質材料でなり、前記基体部に取り付けられ、通気孔を有しており、
前記透水シートは、多孔質材料でなり、一端側が前記排水孔と向かい合う関係で前記貯水槽の底部外面と、前記傾斜面との間に配置され、他端側が前記保水部と接触する、
吸入空気冷却装置。
【請求項５】
室外機本体と、吸入空気冷却装置とを含むエアコン室外機であって、
前記室外機本体は、ハウジングと、熱交換器とを有しており、
前記ハウジングは、収納空間と、前記収納空間に通じる吸気口とを有しており、
前記熱交換器は、前記前記収納空間において、前記吸気口と向かい合う位置に収納されており、
前記吸入空気冷却装置は、請求項４に記載されたものでなり、
前記支持台は、前記傾斜面の最低端が前記吸気口の側を向く関係で、前記ハウジングの上部外面に載置されており、
エアコン室外機。
【発明の詳細な説明】
【技術分野】
【０００１】
本発明は、エアコン室外機用吸入空気冷却装置、及び、これを用いたエアコン室外機に関し、具体的には室外機の熱交換効率を向上させ、冷房時の電力消費量を節減させる吸入空気冷却装置に関する。
【背景技術】
【０００２】
家庭用電気機械器具（家電製品）の普及に伴い、日本国内の一般家庭の電力消費量は、年々増加の一途を辿っており、現在では総電力消費量の約３割を一般家庭が占めているといわれている。他方、東日本大震災を契機として電力供給力不足が深刻な社会問題となっており、改めて節電の重要性が見直されている。
【０００３】
一般家庭における節電を実現しようとした場合、最も節電されるべき家電製品の１つは、空気調和機、いわゆるエアコンである。すなわち、冷房のため電力消費量が飛躍的に高まる夏季の日中において、在宅世帯の全電力消費量の約半分を、エアコンが占めているから、一般家庭における節電を効率的に達成するには、まずエアコンの節電が実現されなければならない。
【０００４】
上述したエアコンに係る節電技術について、例えば特許文献１乃至３が知られている。特許文献１記載の発明は、室外機内に噴霧ノズルを設置して、熱交換器に冷却水を散水することにより、前記熱交換器を直接的に冷却する補助冷却装置である。
【０００５】
特許文献２記載の発明は、室外機の外部上面に冷却水の貯水槽を設置し、前記室外機の吸気口に散水布を設置し、前記散水布に冷却水を供給し、前記熱交換器に接触させることにより、前記熱交換器を直接的に冷却する補助冷却装置である。
【０００６】
特許文献３記載の発明は、室外機内において、熱交換器の近傍にマット材を配置し、前記マット材に冷却水を流下させ、吸入空気を冷却させる補助冷却装置である。
【０００７】
しかし、特許文献１乃至３では、以下の点で問題が生じる。まず、特許文献１記載の発明では、噴霧ノズルのほか、貯水施設から噴霧ノズルまでの送水管路、散水した冷却水の排水管路、さらには噴霧ノズルの散水動作を制御する装置など、複雑な散水機構が必要となるから、その分だけコスト高を招く。
【０００８】
しかも、特許文献１記載の補助冷却装置を構成する噴霧ノズルは、室外機の設計段階、及び、製造段階で、予め室外機の内部に取り付けられるべきものであるから、現に使用している室外機に対して後付けして用いることができない。違う言葉で表現すれば、特許文献１記載の補助冷却装置を導入するには、現に使用している室外機に替えて、噴射ノズルを備えた室外機を買いなおさなければならないから、その分だけコスト高を招く。従って、特許文献１の発明は、一般家庭における節電対策として実効性に乏しい。
【０００９】
特許文献２記載の発明は、散水布を吸気口に吸い込ませて、熱交換器に接触させるものであるから、散水布が吸気口を塞ぎ、必要な量の外気を熱交換器に送風できなくなるという問題が生じる。また、散水布を熱交換器の表面に均等に接触させることは難しく、冷却効果が不安定となる。従って、安定した節電効果を得ることができない。
【００１０】
特許文献３記載の発明では、マット材のほか、前記マット材に冷却水を供給する装置、前記供給を制御する装置など複雑な冷却水供給機構が必要となるから、その分だけコスト高を招く。しかも、前記供給機構は、室外機の設計段階、及び、製造段階で、予め室外機の内部に取り付けられるべきものである。すなわち、特許文献３記載の発明でも、特許文献１記載の発明と同様に、コスト高の不具合が生じることとなり、一般家庭における節電対策として実効性に乏しい。
【先行技術文献】
【特許文献】
【００１１】
【特許文献１】特許第４０７７５５８号公報
【特許文献２】特開２０１０−２１６７０９号公報
【特許文献３】特開２００４−００３８０６号公報
【発明の概要】
【発明が解決しようとする課題】
【００１２】
本発明の課題は、冷房時の電力消費量を節減し、電気料金が節約することが可能なエアコン室外機用吸入空気冷却装置、及び、これを用いたエアコン室外機を提供することである。
【００１３】
本発明のもう１つの課題は、製造コスト、施工コスト、及び、維持管理コストを低減することが可能なエアコン室外機用吸入空気冷却装置、及び、これを用いたエアコン室外機を提供することである。
【００１４】
本発明の更にもう一つの課題は、既設のエアコン室外機に対して後付けして用いることが可能な吸入空気冷却装置、及び、これを用いたエアコン室外機を提供することである。
【課題を解決するための手段】
【００１５】
上述した課題を解決するため、本発明は、２つの態様に係るエアコン室外機用吸入空気冷却装置（吸入空気冷却装置）を開示する。以下、第１、第２の態様に係る吸入空気冷却装置、及び、それらを用いたエアコン室外機について説明する。
【００１６】
１．第１の態様に係る吸入空気冷却装置について
第１の態様に係る吸入空気冷却装置は、貯水槽と、冷却部と、透水シートとを含む。貯水槽は、貯水空間と、排水孔とを有している。排水孔は、貯水槽の底部に開口し、貯水空間に通じている。冷却部は、基体部と、保水部とを有している。保水部は、多孔質材料でなり、基体部に取り付けられ、通気孔を有している。透水シートは、多孔質材料でなり、一端側が排水孔と向かい合う関係で貯水槽の底部外面に配置され、他端側が保水部と接触する。
【００１７】
上述したように、第１の態様に係る吸入空気冷却装置を構成する冷却部は、多孔質構造を有する保水部が、基体部に取り付けられている。換言すれば、保水部は、基体部に取り付けられている。この構成によると、冷却効率の観点から、保水部の形状や寸法を最適な構成に設定することができる。しかも、多孔質構造を有する保水部が、基体部に取り付けられているから、施工作業時の取り回しが容易になり、施工コストを低減することができる。
【００１８】
第１の態様に係る吸入空気冷却装置を構成する冷却部の冷却効果は、保水部における冷却水の気化潜熱の結果として説明することができる。すなわち、保水部は通気孔を有しているから、保水部に冷却水が供給されているとき、通気孔を通る空気が、冷却水の気化潜熱により熱交換され、冷却されることとなる。
【００１９】
ここで、第１の態様に係る吸入空気冷却装置の特徴の一つは、保水部に冷却水を供給するための供給経路の構成にある。詳細に説明すると、前記供給経路の始点となる貯水槽は、底部に貯水空間に通じる排水孔を有している。透水シートは、多孔質材料でなり、一端側が排水孔と向かい合う関係で貯水槽の底部外面に配置され、他端側が保水部と接触する。この構造によると、貯水槽に冷却水を貯水したとき、冷却水は重力などにより排水孔から透水シートに排出され、排出された冷却水は毛細管現象により透水シートの内部を通り、さらに透水シートと保水部との接触部分を通じて保水部に供給されることとなる。
【００２０】
上述した供給経路の構成によると、送水ポンプや複雑な制御装置、及び、それらの駆動電源などを用いることなく、かつ、貯水槽に冷却水が貯水されている限り、貯水槽から保水部へ、自動的に冷却水を供給し続けることができる。従って、製造コスト、施工コスト、及び、維持管理コストを低減することが可能な吸入空気冷却装置を提供することができる。
【００２１】
また、上述した供給経路では、貯水槽から透水シートを介して保水部へ供給される。この構成によると、貯水槽の排水孔から排出された冷却水は、毛細管現象により透水シートに広く染み渡ったあと、透水シートと保水部との接触部分を通じて保水部に供給されることとなるから、排水孔の開設位置および開設数にかかわらず、保水部に対し広く、かつ、均一に冷却水を供給することができる。従って、保水部における冷却水の気化を均一に生じさせ、その結果、偏りのない冷却効果を生ぜしめることができる。
【００２２】
２．第１の態様に係る吸入空気冷却装置を用いたエアコン室外機について
第１の態様に係る吸入空気冷却装置は、周知の室外機本体と組み合わされてエアコン室外機（第１の態様に係るエアコン室外機）を構成する。室外機本体は、ハウジングと、熱交換器とを有している。ハウジングは、収納空間と、収納空間に通じる吸気口とを有している。熱交換器は、収納空間において、吸気口と向かい合う位置に収納されている。
【００２３】
上述した室外機本体との組み合わせにおいて、第１の態様に係る吸入空気冷却装置を構成する透水シートは、ハウジングの外面に取り付けられている。貯水槽は、透水シートを挟んでハウジングの外面に載置されている。冷却部は、ハウジングの外面に取り付けられ、取り付けられた状態で吸気口を覆っている。
【００２４】
上述したように、第１の態様に係る吸入空気冷却装置を構成する貯水槽、冷却部、及び、透水シートのそれぞれは、周知の基本的構成を有する室外機本体と組み合わされるものであって、しかも室外機本体のハウジングの外面に取り付けられるものであるから、既設のエアコン室外機に対して後付けして用いることが可能な吸入空気冷却装置を提供することができる。
【００２５】
第１の態様に係るエアコン室外機において、前記吸入空気冷却装置の冷却部は、室外機本体の吸気口を覆っている。この構成によると、既に説明したとおり、保水部における冷却水の気化潜熱により、通気孔を通る外気が冷却され、冷却された吸入空気が、吸気口を通じて熱交換器に供給される。その結果、吸入空気と熱交換器との間で行われる熱交換の効率が改善され、その運転に伴う室外機本体の電力消費量が低減される。従って、冷房時の電力消費量を節減することが可能な吸入空気冷却装置、及び、これを用いたエアコン室外機を提供することができる。
【００２６】
冷却部を構成する保水部は、基体部に取り付けられているから、室外機本体の吸気口を覆うように冷却部を取り付けたとしても、保水部の設置姿勢が安定する。その結果、例えば、保水部が吸気口を塞ぐ不具合は生じない。従って、維持管理コストを低減することが可能なエアコン室外機を提供することができる。
【００２７】
３．第２の態様に係る吸入空気冷却装置について
第２の態様に係る吸入空気冷却装置は、第１の態様に係る吸入空気冷却装置の基本的構成に加え、さらに支持台を有している点に特徴がある。以下、特徴点を中心に説明する。
【００２８】
第２の態様に係る吸入空気冷却装置を構成する支持台は、一方向に沿って高さが低くなる傾斜面を有している。貯水槽は、傾斜面上に配置される。透水シートは、多孔質材料でなり、一端側が排水孔と向かい合う関係で前記貯水槽の底部外面と、前記傾斜面との間に配置され、他端側が前記保水部と接触する。
【００２９】
第２の態様に係る吸入空気冷却装置の構造によっても、第１の態様に係る吸入空気冷却装置と同一の作用効果を奏することができる。
【００３０】
さらに、第２の態様に係る吸入空気冷却装置を構成する支持台は、一方向に沿って高さが低くなる傾斜面を有し、貯水槽は傾斜面上に配置され、透水シートは、貯水槽の底部外面と、前記傾斜面との間に配置されている。この構成によると、保水部に冷却水を供給するための供給経路において、透水シートにおける冷却水の移動に対し、毛細管現象以外に、傾斜面の高低差に基づく重力が働くから、冷却水の供給効率が向上する。その結果、冷却部に対して円滑に冷却水が供給されるから、冷房時の電力消費量を節減することが可能なエアコン室外機用吸入空気冷却装置を提供することができる。
【００３１】
４．第２の態様に係る吸入空気冷却装置を用いたエアコン室外機（第２の態様に係るエアコン室外機）について
第２の態様に係る吸入空気冷却装置は、周知の室外機本体と組み合わされてエアコン室外機を構成する。第２の態様に係るエアコン室外機は、第１の態様に係るエアコン室外機の基本的構成に加え、さらに支持台を有している点に特徴がある。以下、特徴点を中心に説明する。
【００３２】
第２の態様に係るエアコン室外機において、吸入空気冷却装置を構成する支持台は、傾斜面の最低端が吸気口の側を向く関係で、ハウジング上に載置されている。この構成によると、保水部に冷却水を供給するための供給経路において、透水シートにおける冷却水の移動に対し、毛細管現象以外に、傾斜面の高低差に基づく重力が働くから、冷却水の供給効率が向上する。その結果、吸気口に取り付けられた冷却部に対し、円滑に冷却水が供給されるから、冷房時の電力消費量を節減することが可能なエアコン室外機を提供することができる。
【発明の効果】
【００３３】
以上述べたように、本発明によれば、次のような効果を得ることができる。
（１）冷房時の電力消費量を節減し、電気料金が節約することが可能なエアコン室外機用吸入空気冷却装置、及び、これを用いたエアコン室外機を提供することができる。
（２）製造コスト、施工コスト、及び、維持管理コストを低減することが可能なエアコン室外機用吸入空気冷却装置、及び、これを用いたエアコン室外機を提供することができる。
（３）既設のエアコン室外機に対して後付けして用いることが可能な吸入空気冷却装置、及び、これを用いたエアコン室外機を提供することができる。
【００３４】
本発明の他の目的、構成及び利点については、添付図面を参照し、更に詳しく説明する。添付図面は、単に、例示に過ぎない。
【図面の簡単な説明】
【００３５】
【図１】本発明の一実施形態に係るエアコン室外機の正面図である。
【図２】図１のエアコン室外機を分解して示す斜視図である。
【図３】図２に示した貯水槽を分解して示す断面図である。
【図４】図２に示した冷却部の正面図である。
【図５】図４に示した冷却部の一部を破断して示す拡大断面図である。
【図６】図１に示したエアコン室外機の使用状態を示す正面図である。
【図７】図６に示したエアコン室外機の一部を省略して示す拡大断面図である。
【図８】図７に示したエアコン室外機の一部を破断して模式的に示す拡大断面図である。
【図９】本発明のもう一つの実施形態に係るエアコン室外機の一部を省略して示す拡大断面図である。
【図１０】本発明のさらにもう一つの実施形態に係るエアコン室外機を分解して示す斜視図である。
【図１１】図１０に示したエアコン室外機の一部を省略して示す拡大断面図である。。
【図１２】本発明のさらにもう一つの実施形態に係る吸入空気冷却装置を構成する冷却部の正面図である。
【図１３】本発明のさらにもう一つの実施形態に係る吸入空気冷却装置を構成する冷却部の正面図である。
【図１４】図１３に示した冷却部の一部を破断して示す拡大断面図である。
【発明を実施するための形態】
【００３６】
図１乃至図１４において同一符号は、同一又は対応部分を示すものとする。また、図１乃至図１４の説明において、室外機本体の奥行き方向と、冷却部の厚み方向とは、それぞれ一致するから、全て符号Ｔに統一して示す。
【００３７】
本発明に係るエアコン室外機用吸入空気冷却装置（吸入空気冷却装置）は、室外機本体と組み合わせて用いられ、エアコン室外機を構成する。本明細書において「エアコン」とは、「エアコンディショナ」の略であり、日本語では「空気調和機」と総称されるものであって、室内の空気の温度および湿度を調節する空調機器をさす。図１及び図２のエアコン室外機は、室外機本体１と、吸入空気冷却装置２とを含み、室外機本体１は、周知のエアコン室内機（図示しない）と冷媒配管を通じて接続される。室外機本体１は、当該技術分野において周知の構成部分であるから、以下、吸入空気冷却装置２と関連する範囲で、簡単に説明する。
【００３８】
まず、図１及び図２の室外機本体１は、ハウジング１０と、熱交換器１１とを有している。ハウジング１０は、収納空間１００と、収納空間１００に通じる吸気口１２とを有している。ハウジング１０は、直方体状であって、天面部１３と、天面部１３を構成する４辺のそれぞれから、高さ方向Ｈに沿って立ち下がる側面部１４とを有している。収納空間１００は、ハウジング１０の内部において、天面部１３の内面と、側面部１４の内面とによって画定されている。吸気口１２は、４つの側面部１４の少なくとも１つに設けられている。図１及び図２からは必ずしも明らかではないが、吸気口１２が設けられている側面部１４の反対側の側面部（１４）には、吸気口１２と向かい合う関係で、収納空間１００に通じる排気口（図示しない）が設けられている。
【００３９】
熱交換器１１は、収納空間１００において、吸気口１２と向かい合う位置に収納されている。図１及び図２の熱交換器１１は、吸気口１２を通じて外部に露出している。図１及び図２からは必ずしも明らかではないが、熱交換器１１は、吸気口１２と、排気口（図示しない）との間に配置されており、さらに熱交換器１１と、排気口との間には送風ファン（図示しない）が配置されている。この構成により、送風ファンを駆動させたとき、吸気口１２に吸い込まれた外気は、熱交換器１１に接触した後、送風ファンを通じて、排気口から外部に排出される。
【００４０】
次に、図１及び図２の吸入空気冷却装置２は、貯水槽３（図３参照）と、冷却部４（図４、図５参照）と、透水シート５とを含む。貯水槽３は、槽本体部３１と、蓋部３２とを有している。槽本体部３１は、貯水空間３００と、底部３３と、側面部３４と、開口部３５と、第１の排水孔３６と、第２の排水孔３７とを有している。貯水空間３００は、底部３３の内面と、側面部３４の内面とによって画定されている。開口部３５は、高さ方向Ｈでみて底部３３の内面と向かい合う位置において、貯水空間３００に開口している。
【００４１】
第１の排水孔３６は、底部３３に開口し、貯水空間３００に通じている。図１乃至図３からは明らかではないが、第１の排水孔３６は、複数であって、底部３３において幅方向Ｗに所定の間隔を隔てて、断続的に整列配置されている。第１の排水孔３６の口径（内寸法）は、貯水空間３００の容積と、排水量との相対関係に基づいて適宜調節される。一例として、貯水空間３００の容積が１６リットル程度のとき、第１の排水孔３６の口径は０．２〜１．０ｍｍ程度である。
【００４２】
第２の排水孔３７は、側面部３４において、高さ方向Ｈでみた底部３３の側に開口し、貯水空間３００に通じている。第２の排水孔３７は、複数であって、側面部３４において幅方向Ｗに間隔を隔てて、断続的に整列配置されている。第２の排水孔３７の口径（内寸法）は、第１の排水孔３６と同程度の口径とすることもできるし、又、第１の排水孔３６の口径よりも大きな口径とすることもできる。
【００４３】
蓋部３２は、開口部３５に着脱可能に取り付けられ、開口部３５を覆うことにより、貯水空間３００を密閉している。開口部３５に蓋部３２が設けられ、蓋部３２により貯水空間３００が密閉されている構成によると、貯水空間３００に冷却水（７）を貯水した場合、自然蒸発による冷却水（７）の減少を回避し、吸入空気冷却装置２の作動期間を延ばすことができる。蓋部３２は、面内に冷却水（７）を注入するための給水口を有し、給水口にはキャップ３８が取り付けられている。
【００４４】
図３の貯水槽３の内面において、第１の排水孔３６の開口端、及び、第２の排水孔３７の開口端は、目詰まり防止用フィルタ３９によって覆われている。この構造によると、貯水槽３に貯留されている冷却水（７）に塵埃などが混入した場合でも、第１、第２の排水孔３６、３７を通じて、冷却水（７）を円滑に排出し続けることができる。
【００４５】
図１及び図２の冷却部４について、図４及び図５を参照すると、冷却部４は、基体部４１と、保水部４２とを有している。保水部４２は、多孔質材料でなり、基体部４１に取り付けられ、通気孔４３を有している。具体的に、図４及び図５の基体部４１は、内部に格子状部分を有する枠体であって、棒状部材を複数交差させ、それぞれの交点で結合した構造を有している。この構造により、基体部４１は、高さ方向Ｈに延びる縦格子部４４と、高さ方向Ｈに交差する幅方向Ｗに延びる横格子部４５とを有し、縦格子部４４と、横格子部４５とによって囲まれた部分の内部に、厚み方向Ｔに貫通する貫通部４６が形成されている。
【００４６】
基体部４１は、保水部４２の骨（支持材）となるものであり、耐腐食性、耐候性、耐衝撃性などの観点から、アルミ、ステンレスなどの金属材料を主成分とする棒状部材を用いて構成することができる。また、上述した観点に加え、更に材料コスト、加工コストなどの観点から、合成樹脂材料を用いて構成することもできる。
【００４７】
保水部４２は、多孔質材料でなり、基体部４１に取り付けられている。保水部４２は、合成樹脂材料を主成分とする多孔質構造体、又は、スポンジ構造体である。用いられる合成樹脂材料としては、例えば、ポリビニルアルコール（ＰＶＡ）、ポリエチレン（ＰＥ）、ポリプロピレン（ＰＰ）、塩化ビニル樹脂（ＰＶＣ）、スチロール樹脂（ＰＳ）、ＰＥＴ樹脂（ＰＥＴ）などをあげることができる。
【００４８】
ここで、保水部４２は、多孔質構造を有することにより、孔の空間内に水を吸収し、吸収した水を一定期間貯めた後、外部からの圧力や重力、熱、水の表面張力などに応じて排出することができる。すなわち、保水部４２における「保水」とは、水を吸収し、好ましくは吸収した水を一定期間貯めた後、排出することができる機能を意味するものである。
【００４９】
保水部４２は、貫通部４６の開口端縁を構成する基体部４１、すなわち縦格子部４４、横格子部４５を中心線材として、その周囲に一定の厚みで形成されている（図５参照）。保水部４２を基体部４１に形成する方法としては、例えば、貫通部４６の内寸法に応じて短冊状に切断したスポンジシート（多孔質シート）を巻きつけてもよいし、基体部４１を前記合成樹脂材料の溶液に浸漬するなど周知のコーティング技術によって、基体部４１の周囲に一体的に形成してもよい。
【００５０】
保水部４２は、通気孔４３を有している。通気孔４３は、基体部４１、及び、保水部４２を、厚み方向Ｔに貫通している。違う言葉で表現すれば、通気孔４３は、貫通部４６の開口端縁を構成する基体部４１に形成されている保水部４２の内側表面を開口端縁としており、通気孔４３の開口端縁は、貫通部４６の開口端縁を縮小した相似形となっている。すなわち、通気孔４３の基本的な構成は、貫通部４６を構成する基体部４１の端縁に基づいており、この基体部４１の端縁を中心線材とする保水部４２によって最終的な開口端が決定される。
【００５１】
透水シート５は、多孔質材料でなり、折り曲がり部分を挟んで一端側の面領域が第１の排水孔３６と向かい合う関係で貯水槽３の底部３３の外面に配置され、他端側の面領域が保水部４２と接触する。透水シート５は、保水部４２と同一の構造を有することができる。すなわち、透水シート５は、ポリビニルアルコール（ＰＶＡ）、ポリエチレン（ＰＥ）、ポリプロピレン（ＰＰ）、塩化ビニル樹脂（ＰＶＣ）、スチロール樹脂（ＰＳ）、ＰＥＴ樹脂（ＰＥＴ）など合成樹脂材料を主成分とし、多孔質構造を有するシート状体、または、スポンジ構造を有するシート状体である。
【００５２】
透水シート５は、貯水槽３から、保水部４２への冷却水（７）の供給経路を構成する部材である。透水シート５の「透水」とは、水を吸収し、排出することができる機能を意味するものである。従って、透水シート５としては、例えば、天然繊維または合成繊維を用いた織布、もしくは同繊維で構成した不織布を用いることもできる。
【００５３】
さらに、吸入空気冷却装置２と、室外機本体１との組み合わせ構造について、透水シート５は、ハウジング１０の外面に取り付けられている。図１及び図２の透水シート５は、天面部１３の上に設置され、天面部１３から吸気口１２のある側面部１４に垂れ下がるように取り付けられており、側面部１４に垂れ下がる部分の内面が、保水部４２の外面と重なって面接触することにより、保水部４２と通水的に接続されている。透水シート５と保水部４２との面接触部分は、好ましくは通水可能な接触領域を残して相互に接着されている。
【００５４】
貯水槽３は、透水シート５を挟んでハウジング１０の外面に載置されている。図１及び図２の貯水槽３は、底部３３が透水シート５に向かい合う関係で、天面部１３上に取り付けられている。貯水槽３は、転倒防止の観点からフックや紐など周知の固定具（図示しない）を用いて天面部１３に固定されていることが好ましい。
【００５５】
冷却部４は、ハウジング１０の外面に取り付けられ、取り付けられた状態で吸気口１２を覆っている。図１及び図２の冷却部４は、一対の掛止フック６、６によって側面部１４に取り付けられ、取り付けられた状態で吸気口１２を覆っている。冷却部４は、基体部４１の上端縁部分のみが、一対の掛止フック６、６によって吊り下げられる構造となっているが、側面部１４に対する冷却部４の取り付け構造は、安定性、施工効率などの観点から適宜変更することができる。例えば、この種の室外機本体１は、文字通り室外に設置されるものであるから、冷却部４を、４隅で側面部１４に螺子止めすることにより、側面部１４に対する冷却部４の設置姿勢が安定する。その結果、台風などの強風時に、冷却部４が側面部１４に衝突することにより生じる騒音を防止することができる。
【００５６】
図１乃至図５を参照して説明したエアコン室外機は、吸入空気冷却装置２を有する点に特徴の一つがあり、更に言えば図１乃至図２の吸入空気冷却装置２は、保水部４２に冷却水（７）を供給するための供給経路に特徴の一つがある。そこで、次に図６及び図７を参照し、吸入空気冷却装置２における冷却水（７）の供給経路について説明する。
【００５７】
まず、エアコン室外機を構成する吸入空気冷却装置２において、供給経路の始点となる貯水槽３に冷却水７が貯水されている場合、冷却水７は、重力などにより第１の排水孔３６から透水シート５に排出される（図７参照）。この排出された冷却水７は、いわゆる毛細管現象により、第１の排水孔３６を中心として放射状に、透水シート５の内部に染み渡る。透水シート５に染み込んだ冷却水７の一部は、さらに透水シート５と保水部４２との接触部分を通じ、保水部４２に供給されることとなる。
【００５８】
上述した構造によると、第１の排水孔３６から排出された冷却水７は、透水シート５の内部に広範囲に染み渡ったあと、透水シート５と保水部４２との接触部分を通じて保水部４２に供給されることとなるから、第１の排水孔３６の開設位置および開設数にかかわらず、保水部４２に対し広く、かつ、均一に冷却水７が供給される。
【００５９】
他方、貯水槽３は第２の排水孔３７を有しており、第２の排水孔３７からも冷却水７が透水シート５に排出される。第２の排水孔３７から透水シート５上に落下した冷却水７は、透水シート５の内部を通り、透水シート５と保水部４２との接触部分を通じ、保水部４２に供給されることとなる。
【００６０】
第２の排水孔３７は、猛暑の場合など、第１の排水孔３７からの排水量に対して冷却水７の蒸発量の方が多く、透水シート５が充分な量の冷却水７を保持しえない場合、透水シート５に対して冷却水７を補充する機能を有している。さらに言えば、図６に示すように、第２の排水孔３７は、正面からみて、縦格子部４４を延長線上に設けられている。この構造によると、第２の排水孔３７から透水シート５上に落下した冷却水７は、透水シート５を最短距離で縦格子部４４に形成された保水部４２まで到達し、同保水部４２に沿って、高さ方向Ｈに円滑に流動する。この縦格子部４４に沿って流れる冷却水７は、横格子部４５との交点で、横格子部４５に形成された保水部４２へ流動するから、冷却水７が蒸発しやすい猛暑の場合などであっても、保水部４２の全体に対して効率的に冷却水７を供給することができる。
【００６１】
上述した観点からすれば、第２の排水孔３７は、気象条件に応じて冷却水７の排出量を調節できる開閉制御装置（図示しない）を有することが好ましい。この構造によれば、猛暑の場合には前記開閉制御装置を開放して冷却水７を排出し、透水シート５および保水部４２へ充分な量の冷却水７を供給するとともに、雨天や曇天の場合には前記開閉制御装置を閉鎖して冷却水７の排出量を制限し、冷却水７の浪費を回避することができる。
【００６２】
図６及び図７を参照して説明した供給経路を通じて保水部４２に冷却水７が供給され、保水部４２において冷却水７が気化することにより、図８に示すように吸気口１２に吸い込まれる外気９が冷却（冷却水７の気化潜熱）され、冷却された吸入空気９０が、吸気口１２を通じて熱交換器１１に供給される。その結果、吸入空気９０と熱交換器１１との間で行われる熱交換効率が向上し、その運転に伴う室外機本体１の電力消費量が低減される。
【００６３】
ところで、この種のエアコンに係る節電技術について、従来、室外機本体内に噴霧ノズルを設置して、熱交換器に冷却水を散水することにより、前記熱交換器を直接的に冷却する補助冷却装置（特許文献１参照）では、噴霧ノズルのほか、貯水槽から噴霧ノズルまでの送水管路、散水した冷却水の排水管路、さらには噴霧ノズルの散水動作を制御する装置など、複雑な散水機構が必要となるから、その分だけコスト高を招く。
【００６４】
しかも、前記噴霧ノズルは、設計段階、及び、製造段階で、予め室外機本体内の内部に取り付けられるべきものであるから、現に使用している室外機本体に対して後付けして用いることができない。違う言葉で表現すれば、同補助冷却装置を導入するには、現に使用している室外機に替えて、噴射ノズルを備えた室外機を買いなおさなければならないから、その分だけコスト高を招き、一般家庭における節電対策として実効性に乏しいという問題がある。
【００６５】
また、室外機本体の外部上面に冷却水の貯水槽を設置し、吸気口前に散水布を設置し、前記散水布に冷却水を供給して前記熱交換器に接触させることにより、前記熱交換器を直接的に冷却する補助冷却装置（特許文献２参照）は、散水布を吸気口に吸い込ませて、熱交換器に接触させるものであるから、散水布が吸気口を塞ぎ、必要な量の外気を熱交換器に送風できなくなるという問題が生じる。また、散水布を熱交換器の表面に均等に接触させることは難しく、冷却効果が不安定となる。従って、安定した節電効果を得ることができないという問題がある。
【００６６】
さらに、室外機本体内において、熱交換器の近傍にマット材を配置し、前記マット材に冷却水を流下させ、吸入空気を冷却させる補助冷却装置（特許文献３参照）では、マット材のほか、前記マット材に冷却水を供給する装置、前記供給を制御する装置など複雑な冷却水供給機構が必要となるから、その分だけコスト高を招く。しかも、前記供給機構は、設計段階、及び、製造段階で、予め室外機本体の内部に取り付けられるべきものであるから、コスト高の不具合が生じることとなり、一般家庭における節電対策として実効性に乏しいという問題がある。
【００６７】
これに対して、図１乃至図８を参照して説明した吸入空気冷却装置２、及び、これを用いたエアコン室外機によると、上述した問題を全て解決することができる。例えば、図１乃至図８の吸入空気冷却装置２を構成する冷却部４は、スポンジ状の保水部４２が、基体部４１に取り付けられている。換言すれば、保水部４２は、基体部４１によって支持されている。この構成によると、冷却効率の観点から、保水部４２の形状や寸法を最適な構成に設定することができる。しかも、スポンジ状の保水部４２が、基体部４１に取り付けられているから、施工作業時の取り回しが容易になり、施工コストを低減することができる。
【００６８】
吸入空気冷却装置２の冷却効果は、保水部４２における冷却水７の気化潜熱の結果として説明することができる。すなわち、保水部４２が通気孔４３を有する構成により、保水部４２に冷却水７が供給されているとき、通気孔４３を通る空気が、冷却水７の気化潜熱により冷却されることとなる。
【００６９】
ここで、図１乃至図８の吸入空気冷却装置２の特徴の一つは、保水部４２に冷却水７を供給するための機構（供給経路）の構成にある。すなわち、図６及び図７を参照して説明したように、貯水槽３は、第１、第２の排水孔３６、３７を有しており、貯水槽３に冷却水７が貯水されている場合、冷却水７は、第１、第２の排水孔３６、３７から透水シート５に排出され、透水シート５上に落下した後、透水シート５の内部を通って保水部４２に供給されることとなる。
【００７０】
上述した冷却水７の供給経路では、送水ポンプや複雑な制御装置、及び、それらの駆動電源などを用いることなく、かつ、貯水槽３に冷却水７が貯水されている限り、貯水槽３から保水部４２へ、自動的に冷却水７を供給し続けることができる。従って、製造コスト、施工コスト、及び、維持管理コストを低減することが可能な吸入空気冷却装置２を提供することができる。
【００７１】
また、図６及び図７の供給経路では、貯水槽３から透水シート５を介して保水部４２へ供給される。この構成によると、例えば、第１の排水孔３６から排出された冷却水７は、毛細管現象により透水シート５の内部に広く染み渡ったあと、透水シート５と保水部４２との接触部分を通じて保水部４２に供給されることとなるから、第１の排水孔３６の開設位置および開設数にかかわらず、保水部４２に対し広く、かつ、均一な量の冷却水７を供給することができる。従って、保水部４２における冷却水７の気化潜熱を均一に生じさせ、その結果、偏りのない冷却効果を生ぜしめることができる。
【００７２】
吸入空気冷却装置２を構成する貯水槽３、冷却部４、及び、透水シート５のそれぞれは、周知の基本的構成を有する室外機本体１と組み合わされるものであって、しかも室外機本体１を構成するハウジング１０の外面（天面部１３）に取り付けられるものであるから、既設のエアコン室外機に対して後付けして用いることが可能となる。従って、エアコン及び室外機本体を新しく買い換えることなく、現に使用している室外機本体１に追加して使用することにより、電気料金を低減することが可能な吸入空気冷却装置を提供することができる。
【００７３】
エアコン室外機において、吸入空気冷却装置２の冷却部４は、室外機本体１の吸気口１２を覆っている。この構成によると、既に説明したとおり、保水部４２における冷却水７の気化潜熱により、通気孔４３を通る外気９が予め冷却され、冷却された外気９（吸入空気９０）が、吸気口１２を通じて熱交換器１１に供給される。その結果、吸入空気９０と熱交換器１１との間で行われる熱交換の効率が改善され、その運転に伴う室外機本体１の電力消費量が低減される。従って、冷房時の電力消費量を節減することが可能な吸入空気冷却装置２、及び、これを用いたエアコン室外機を提供することができる。
【００７４】
透水シート５は、室外機本体１の天面部１３に載置されているから、透水シート５に冷却水７が供給されているとき、透水シート５において生じる冷却水７の気化潜熱によって、室外機本体１が全体的に冷却され、熱交換器１１の熱交換の効率が改善される。従って、冷房時の電力消費量を節減することが可能な吸入空気冷却装置２、及び、これを用いたエアコン室外機を提供することができる。
【００７５】
保水部４２は、基体部４１に取り付けられているから、吸気口１２を覆うように冷却部４を取り付けたとしても、基体部４１の重さや剛性によって、保水部４２の設置姿勢が安定する。その結果、例えば、保水部４２が吸気口１２に吸い付いてしまう問題や、吸い付いた保水部４２が吸引抵抗となり、必要な量の吸入空気９０を熱交換器１１に送風できなくなるという問題は生じない。従って、維持管理コストを低減することが可能なエアコン室外機を提供することができる。
【００７６】
図９の実施形態は、貯水槽３の底部３３に傾斜面が形成されている以外は、図１乃至図８を参照して説明したエアコン室外機と同一の構成要件を有している。以下、相違点を中心に説明する。
【００７７】
図９の貯水槽３は、高さ方向Ｔでみた底部３３の肉厚が、奥行き方向（Ｔ）の一方から他方に向かうに従って徐々に減少している。この構成により、底部３３は、内面が奥行き方向（Ｔ）でみた一方から他方に傾斜する傾斜面を構成している。違う観点から説明すると、底部３３の内面は、第２の排水孔３７のある側面部（３４）に向かって、高さが低くなる傾斜面となっている。
【００７８】
図１乃至図８を参照して説明したように、本発明に係る吸入空気冷却装置２は、室外機本体１に貯水槽３を取り付け、貯水槽３に貯水した冷却水７を少しづつ保水部４２に供給することにより、日本古来の打ち水の原理、すなわち冷却水７の気化潜熱による熱交換現象を利用して室外機本体１および吸入空気９０を冷やし、熱交換効率を向上させることにより相対的に熱交換器の駆動時間を減少させ、電気料金を節約する点に特徴がある。
【００７９】
図９の実施形態によっても、図１乃至図８を参照して説明した利点を全て有することができる。さらに図９の実施形態によると、冷却水７の貯水量によって決定される吸入空気冷却装置２の作動期間の終期において、冷却水７は、底部３３の傾斜面に従って第２の排水孔３７の側に集まるから、第２の排水孔３７から行われる冷却水７の排水（散水）を長期間に渡って実行することができるとともに、限られた貯水空間３００に貯水される冷却水７を効率的に使用することができる。
【００８０】
図１０及び図１１の実施形態は、支持台８を有する以外は、図１乃至図８を参照して説明したエアコン室外機と基本的に同一の構成要件を有している。以下、相違点を中心に説明する。図１０及び図１１のエアコン室外機を構成する吸入空気冷却装置２は、支持台８と、透水シート５と、貯水槽３と、冷却部４とを含む。
【００８１】
支持台８は、一方向に沿って高さが低くなる傾斜面８０を有している。支持台８は、傾斜面８０の最低端８１が吸気口１２の側を向く関係で、ハウジング１０の上部の天面部１３に載置されている。
【００８２】
貯水槽３は、底部３３が傾斜面８０上に配置され、配置された状態で、第２の排水孔３７が設けられている側面部が、第２の排水孔３７が設けられていない側面部よりも低い位置となるように傾斜している。図１１に示すように貯水槽３の底部３３は、傾斜面８０の傾斜角度に沿って傾斜しており、貯水槽３は全体として天面部１３及び地面（図示しない）に垂直に配置されている。
【００８３】
支持台８は、結合部（８２）を有している。より詳細に説明すと、図１０及び図１１の支持台８は、一対の嵌合凸部８２を有し、一対の嵌合凸部８２は、奥行き方向Ｔでみた最低端８１とは反対側の端縁付近において、傾斜面８０から高さ方向Ｈに立ち上がっている。貯水槽３は、底部３３に嵌合凸部８２に対応する凹部を有し、傾斜面８０上に配置された状態で、嵌合凸部８２との凹凸嵌合により固定されている。この構成によると、傾斜面８０上に安定して貯水槽３を載置することができる。
【００８４】
透水シート５は、多孔質材料でなり、折り曲がり部分を挟んで一端側の面領域が、第１の排水孔３６と向かい合う関係で底部３３の外面と傾斜面８０との間に配置され、他端側の面領域が保水部４２と接触している。
【００８５】
図１０及び図１１の実施形態は、端的に言えば、図９を参照して説明した底部３３の傾斜面を、別部材として分離したものであるから、図１乃至図８を参照して説明した利点を全て有することができる。
【００８６】
加えて、図１０及び図１１のエアコン室外機において、支持台８は、傾斜面８０の最低端８１が吸気口１２の側を向く関係で、天面部１３に載置されている。この構成によると、保水部４２に冷却水７を供給するための供給経路において、透水シート５における冷却水７の移動には、毛細管現象以外に、傾斜面８０の高低差に基づく重力が働くから、冷却水７の移動効率が向上する。その結果、吸気口１２に取り付けられた冷却部４に対して円滑に冷却水７が供給されるから、冷房時の電力消費量を節減することが可能なエアコン室外機を提供することができる。
【００８７】
図１２は、図１乃至図１１とは異なる冷却部４の実施形態を示すものである。以下、相違点を中心に説明する。図１２の冷却部４は、ハニカム構造を有する板状体である。より詳細に説明すると、基体部４１は、耐腐食性、耐候性、耐衝撃性などの観点から、アルミ、ステンレスなどの金属材料を主成分とする板状体に、パンチング加工することにより、面内に、正面から見て正六角形形状の貫通部４６（貫通孔）が複数形成されている。
【００８８】
保水部４２は、貫通部４６の開口端縁を構成する基体部４１を中心として、その周囲に一定の厚みで形成されており、その保水部４２の表面によって区画された領域に通気孔４３が形成されている。
【００８９】
図１乃至図１１を参照して説明したように、冷却部４の特徴の一つは、基体部４１が貫通部４６を有し、この貫通部４６の形状に沿って通気孔４３が形成されている点にあるから、図１２の実施形態によっても、図１乃至図１１を参照して説明した利点を全て有することができる。さらに、図１２の冷却部４は、ハニカム構造を有することにより、図１乃至図１１とは異なり、通気孔４３の周囲に設けられている保水部４２が斜めに交差しているから、冷却部４が吊り下げられた状態で、上端縁に冷却水（７）が供給された場合、冷却水（７）が高さ方向Ｈおよび幅方向Ｗに沿って円滑に流動する。従って、冷却部４の冷却効率を向上させ、もって冷房時の電力消費量を節減することが可能なエアコン室外機を提供することができる。
【００９０】
図１３及び図１４は、図１乃至図１２とは異なる冷却部４の実施形態を示すものである。以下、相違点を中心に説明する。
【００９１】
図１３及び図１４の冷却部４において、基体部４１は図１乃至図１１を参照して説明しものと同一の構造を有している。すなわち、基体部４１は、内部に格子状部分を有する枠体であって、高さ方向Ｈに延びる縦格子部４４と、幅方向Ｗに延びる横格子部４５とを有し、縦格子部４４と、横格子部４５とによって囲まれた部分の内部に、厚み方向Ｔに貫通する貫通部４６が形成されている。
【００９２】
保水部４２は、多孔質構造を有するシート状体であって、厚み方向Ｔでみた基体部４１の一面に取り付けられ、一面を覆っている。端的に表現すれば、冷却部４は、基体部４１を桟とし、保水部４２を障子紙とする、いわゆる障子状の構造を有している。通気孔４３は、格子状に区画された貫通部４６の内側に露出し、貫通部４６を覆っている保水部４２を厚み方向Ｔに貫通している。
【００９３】
図１乃至図１２を参照して説明したように、吸入空気冷却装置２の冷却効果は、保水部４２における冷却水７の気化潜熱の結果として説明されるものであるから、冷却部４を構成する通気孔４３は、外気の通気路として、保水部４２を貫通している構造であればよい。図１３及び図１４の実施形態によっても、図１乃至図１２を参照して説明した利点を全て有することができる。さらに、図１３及び図１４の実施形態によれば、格子状の基体部４１の一面にシート状の保水部４２を取り付けるだけでよいから、製造コストを低減することができる。
【００９４】
以上、好ましい実施例を参照して本発明の内容を具体的に説明したが、本発明の基本的技術思想及び教示に基づいて、当業者であれば、種種の変形態様を採り得ることは自明である。例えば、図１３及び図１４の実施形態において、厚み方向Ｔでみた基体部４１の両面に保水部４２を設けてもよいし、通気孔４３の開口形状や口径も通気量を検討しながら適宜調節することができる。
【００９５】
また、本発明に係る吸入空気冷却装置２は、貯水槽３の底部３３から透水シート５を介して保水部４２に冷却水７を供給する供給経路に特徴の一つがある。従って、図３の貯水槽３の底部３３を、例えば、透水性セラミックなど透水性を有する材料で構成した場合、底部３３の全面から冷却水７を透水シート５に供給することができる。なお、上記構成では、第１の排水孔３６が無いのではなく、底部３３を構成する透水性セラミックの内部に第１の排水孔３６が無数に存在していると考えるべきである。
【００９６】
さらに、図１乃至図１４を参照して説明したように基体部４１の主たる機能は、保水部４２を支持すること、及び、通気孔４３の元となる貫通部４６を形作ることにある。この貫通部４６は一面から他面に貫通していることこそが重要であり、例えば、貫通部４６の開口形状は通気性や冷却効率、加工コストなどの観点から適宜設定することができる。ちがう言葉で表現すれば、基体部４１の構造を表現する「格子状」と言う文言は、必ずしも「碁盤の目状」に限定されるものではなく、広く「二方向以上に交差する棒状部材の組み合わせで構築される構造」に解釈すべきことを念のため申し添える。
【符号の説明】
【００９７】
１      室外機本体
１０    ハウジング
１００  収納空間
１１    熱交換器
１２    吸気口
２      吸入空気冷却装置
３      貯水槽
３００  貯水空間
３３    底部
３６    第１の排水孔
４      冷却部
４１    基体部
４２    保水部
４３    通気孔
５      透水シート
８      支持台
８０    傾斜面
【図１】
2013057458.tif 000003
【図２】
2013057458.tif 000004
【図３】
2013057458.tif 000005
【図４】
2013057458.tif 000006
【図５】
2013057458.tif 000007
【図６】
2013057458.tif 000008
【図７】
2013057458.tif 000009
【図８】
2013057458.tif 000010
【図９】
2013057458.tif 000011
【図１０】
2013057458.tif 000012
【図１１】
2013057458.tif 000013
【図１２】
2013057458.tif 000014
【図１３】
2013057458.tif 000015
【図１４】
2013057458.tif 000016
【手続補正書】
【提出日】平成23年9月12日(2011.9.12)
【手続補正１】
【補正対象書類名】図面
【補正対象項目名】図９
【補正方法】変更
【補正の内容】
【図９】
2013057458.tif 000017
【手続補正書】
【提出日】平成24年3月23日(2012.3.23)
【手続補正１】
【補正対象書類名】特許請求の範囲
【補正対象項目名】全文
【補正方法】変更
【補正の内容】
【特許請求の範囲】
【請求項１】
支持台と、貯水槽と、冷却部と、透水シートとを含むエアコン室外機用吸入空気冷却装置であって、
前記支持台は、一方向に沿って高さが低くなる傾斜面を有し、前記傾斜面の最低端が室外機の吸気口の側を向く関係で、室外機の天面に取り付けられ、
前記貯水槽は、貯水空間と、排水孔とを有し、前記透水シートを挟んで前記傾斜面上に配置され、
前記排水孔は、前記貯水槽の底部に開口し、前記貯水空間に通じており、
前記冷却部は、基体部と、保水部とを有し、室外機の吸気口の側に取り付けられ、
前記保水部は、多孔質材料でなり、前記基体部に取り付けられ、通気孔を有しており、
前記透水シートは、多孔質材料でなり、上面が前記排水孔と向かい合い、且つ、前記貯水槽の底部外面に直接接触する関係で前記傾斜面に載置され、一端側が前記傾斜面の最低端の側において前記保水部と接触する、
吸入空気冷却装置。
【請求項２】
請求項１に記載された前記吸入空気冷却装置であって、
前記冷却部の前記基体部は、格子状体、又は、面内に複数の貫通孔を有する板状体である、
吸入空気冷却装置。
【請求項３】
請求項１に記載された前記吸入空気冷却装置であって、
前記基体部は、格子状体であって、正面からみて高さ方向に延びる縦格子部と、前記高さ方向に交差する幅方向に延びる横格子部とを有しており、
前記保水部は、前記縦格子部、及び、前記横格子部のぞれぞれを中心線材として、その周囲に形成されており、
前記貯水槽は、前記傾斜面の最低端の側でみた側面に第２の排水孔を有しており、
前記第２の排水孔は、高さ方向でみた前記縦格子部の延長線上に開口し、貯水空間に通じている、
吸入空気冷却装置。
【請求項４】
室外機本体と、吸入空気冷却装置とを含むエアコン室外機であって、
前記室外機本体は、ハウジングと、熱交換器とを有しており、
前記ハウジングは、収納空間と、前記収納空間に通じる吸気口とを有しており、
前記熱交換器は、前記収納空間において、前記吸気口と向かい合う位置に収納されており、
前記吸入空気冷却装置は、支持台と、貯水槽と、冷却部と、透水シートとを含み、
前記支持台は、一方向に沿って高さが低くなる傾斜面を有し、前記傾斜面の最低端が前記吸気口の側を向く関係で、前記ハウジングの天面に取り付けられており、
前記貯水槽は、貯水空間と、排水孔とを有し、前記透水シートを挟んで前記傾斜面上に配置されており、
前記排水孔は、前記貯水槽の底部に開口し、前記貯水空間に通じており、
前記冷却部は、基体部と、保水部とを有し、前記ハウジングにおいて吸気口の側に取り付けられており、
前記保水部は、多孔質材料でなり、前記基体部に取り付けられ、通気孔を有しており、
前記透水シートは、多孔質材料でなり、上面が前記排水孔と向かい合い、且つ、前記貯水槽の底部外面に直接接触する関係で前記傾斜面に沿って載置され、一端側が前記傾斜面の最低端の側において前記保水部と接触している、
エアコン室外機。
【請求項５】
請求項４に記載されたエアコン室外機であって、
前記吸入空気冷却装置の前記基体部は、枠体であって、正面からみて高さ方向に延びる縦格子部と、前記高さ方向に交差する幅方向に延びる横格子部とを有しており、
前記保水部は、前記縦格子部、及び、前記横格子部のぞれぞれを中心線材として、その周囲に一定の厚みで形成されており、
前記貯水槽は、側面に第２の排水孔を有しており、
前記第２の排水孔は、高さ方向でみた前記縦格子部の延長線上に開口し、貯水空間に通じている、
エアコン室外機。